(57)【要約】【課題】撮影により取得した画像を投影するまでの処理時間を短縮する。【解決手段】コンピュータ２は、原稿４の画像の変化量を求める。原稿４の画像の変化量が所定閾値以上であれば、原稿差し替える場合のように、画像に動きがないと判定し、処理時間の短縮が可能となる画像の解像度を低解像度に切り替える。また、コンピュータ２は、原稿４を台座１３に載置している場合のように、原稿４の画像の変化量が所定閾値未満であって、画像に動きがないと判定すると、画像の解像度を高解像度に切り替える。【選択図】      図１
2008125128.tif 000002
【特許請求の範囲】
【請求項１】
撮影した被写体の画像をスクリーンに投影する撮影画像投影装置において、
前記被写体を撮影し、撮影した前記被写体の画像データを出力するカメラと、
前記カメラが出力した画像データに対して画像処理を行う画像処理部と、
前記画像処理部が画像処理した画像データに基づいた画像をスクリーンに投影する投影部と、
前記カメラによって撮影される画像のフレーム周波数を少なくとも２つの周波数に切り替えるように、前記カメラと前記画像処理部と前記投影部とを制御する制御部と、を備えた、
ことを特徴とする撮影画像投影装置。
【請求項２】
前記制御部は、
前記カメラによって撮影された画像に動きがあるか否かを判定する動き判定手段を備え、
前記カメラによって撮影される画像のフレーム周波数の高低を予め設定し、前記動き判別手段が画像に動きがあると判定すると、前記カメラによって撮影される画像のフレーム周波数が高くなるように、前記カメラと前記画像処理部と前記投影部とを制御し、前記動き判別手段が画像に動きがないと判定すると、前記カメラによって撮影される画像のフレーム周波数を低い方に設定し、画像データのデータ量をより多くして解像度がより高くなるように前記カメラと前記画像処理部と前記投影部とを制御する、
ことを特徴とする請求項１に記載の撮影画像投影装置。
【請求項３】
前記判定手段は、前記カメラによって撮影された画像に動きがあるか否かの判定を、予め設定されたフレーム周波数のうちの高い方の画像であって当該フレーム周波数に対応する解像度を有する画像に基づいて行う、
ことを特徴とする請求項２に記載の撮影画像投影装置。
【請求項４】
前記判定手段は、
前記カメラで撮影された画像の画像変化量を求め、前記画像変化量が予め設定された閾値未満であれば、前記カメラで撮影された画像に動きがないと判定し、前記画像変化量が予め設定された閾値以上であれば、前記画像に動きがあると判定する、
ことを特徴とする請求項２又は３に記載の撮影画像投影装置。
【請求項５】
前記判定手段は、前記カメラで撮影された画像のデータの前回値を記憶し、記憶した画像データの前回値と新たに撮影された画像のデータの今回値との差分の総和を求めることにより、画像変化量を求める、
ことを特徴とする請求項４に記載の撮影画像投影装置。
【請求項６】
カメラで撮影した画像をスクリーンに投影する撮影画像投影装置の画像処理方法であって、
前記カメラが出力した画像データに基づいて画像に動きがあるか否かを判定するステップと、
前記カメラが出力する画像のフレーム周波数の高低を予め設定し、前記画像に動きがあると判定すると、前記カメラによって撮影される画像のフレーム周波数が高くなるように制御し、前記画像に動きがないと判定すると、前記画像のフレーム周波数が低くなるように前記カメラを制御するステップと、を備えた、
ことを特徴とする撮影画像投影装置の画像処理方法。
【請求項７】
コンピュータに、
前記カメラが出力した画像データに基づいて画像に動きがあるか否かを判定する手順、
前記カメラによって撮影される画像のフレーム周波数の高低を予め設定し、前記画像に動きがあると判定すると、前記カメラによって撮影される画像のフレーム周波数が高くなるように制御し、前記画像に動きがないと判定すると、前記画像のフレーム周波数が低くなるように前記カメラを制御する手順、
を実行させるためのプログラム。
【発明の詳細な説明】
【技術分野】
【０００１】
本発明は、撮影画像投影装置、撮影画像投影装置の画像処理方法及びプログラムに関するものである。
【背景技術】
【０００２】
近年、撮影画像投影装置として、ユーザが原稿台に載置した原稿をカメラで撮影して、カメラで撮影した原稿の画像データを記憶して画像処理を行い、プロジェクタを用いてスクリーン上に原稿の画像を拡大して投影するものがある（例えば、特許文献１参照）。
【特許文献１】特開２００２−３５４３３１号公報（第２−３頁、図１）
【発明の開示】
【発明が解決しようとする課題】
【０００３】
しかし、従来のこのような撮影画像投影装置では、原稿の画像をスクリーンに投影するまでの処理に時間を要するため、画像のフレーム周波数が低くなってしまう。
本発明は、このような従来の問題点に鑑みてなされたもので、撮影により取得した画像を投影するまでの処理時間を短縮することが可能な撮影画像投影装置、撮影画像投影装置の画像処理方法及びプログラムを提供することを目的とする。
【課題を解決するための手段】
【０００４】
この目的を達成するため、本発明の第１の観点に係る撮影画像投影装置は、
撮影した被写体の画像をスクリーンに投影する撮影画像投影装置において、
前記被写体を撮影し、撮影した前記被写体の画像データを出力するカメラと、
前記カメラが出力した画像データに対して画像処理を行う画像処理部と、
前記画像処理部が画像処理した画像データに基づいた画像をスクリーンに投影する投影部と、
前記カメラによって撮影される画像のフレーム周波数を少なくとも２つの周波数に切り替えるように、前記カメラと前記画像処理部と前記投影部とを制御する制御部と、を備えたものである。
【０００５】
前記制御部は、
前記カメラによって撮影された画像に動きがあるか否かを判定する動き判定手段を備え、
前記カメラによって撮影される画像のフレーム周波数の高低を予め設定し、前記動き判別手段が画像に動きがあると判定すると、前記カメラによって撮影される画像のフレーム周波数が高くなるように、前記カメラと前記画像処理部と前記投影部とを制御し、前記動き判別手段が画像に動きがないと判定すると、前記カメラによって撮影される画像のフレーム周波数を低い方に設定し、画像データのデータ量をより多くして解像度がより高くなるように前記カメラと前記画像処理部と前記投影部とを制御するものであってもよい。
【０００６】
前記判定手段は、前記カメラによって撮影された画像に動きがあるか否かの判定を、予め設定されたフレーム周波数のうちの高い方の画像であって当該フレーム周波数に対応する解像度を有する画像に基づいて行うものであってもよい。
【０００７】
前記判定手段は、
前記カメラで撮影された画像の画像変化量を求め、前記画像変化量が予め設定された閾値未満であれば、前記カメラで撮影された画像に動きがないと判定し、前記画像変化量が予め設定された閾値以上であれば、前記画像に動きがあると判定するものであってもよい。
【０００８】
前記判定手段は、前記カメラで撮影された画像のデータの前回値を記憶し、記憶した画像データの前回値と新たに撮影された画像のデータの今回値との差分の総和を求めることにより、画像変化量を求めるものであってもよい。
【０００９】
本発明の第２の観点に係る撮影画像投影装置の画像処理方法は、
カメラで撮影した画像をスクリーンに投影する撮影画像投影装置の画像処理方法であって、
前記カメラが出力した画像データに基づいて画像に動きがあるか否かを判定するステップと、
前記カメラが出力する画像のフレーム周波数の高低を予め設定し、前記画像に動きがあると判定すると、前記カメラによって撮影される画像のフレーム周波数が高くなるように制御し、前記画像に動きがないと判定すると、前記画像のフレーム周波数が低くなるように前記カメラを制御するステップと、を備えたものである。
【００１０】
本発明の第３の観点に係るプログラムは、
コンピュータに、
前記カメラが出力した画像データに基づいて画像に動きがあるか否かを判定する手順、
前記カメラによって撮影される画像のフレーム周波数の高低を予め設定し、前記画像に動きがあると判定すると、前記カメラによって撮影される画像のフレーム周波数が高くなるように制御し、前記画像に動きがないと判定すると、前記画像のフレーム周波数が低くなるように前記カメラを制御する手順、
を実行させるためのものである。
【発明の効果】
【００１１】
本発明によれば、撮影により取得した画像を投影するまでの処理時間を短縮することが出来る。
【発明を実施するための最良の形態】
【００１２】
以下、本発明の実施の形態に係る撮影画像投影装置を図面を参照して説明する。
実施形態に係る撮影画像投影装置の構成を図１に示す。
撮影画像投影装置は、書画カメラ１と、コンピュータ２と、プロジェクタ３と、から構成される。
【００１３】
書画カメラ１は、投影対象の原稿４を撮影するためのカメラシステムであり、デジタルカメラ１１と、支柱１２と、台座１３と、を備える。デジタルカメラ１１は、原稿４を撮影するためのものである。支柱１２は、デジタルカメラ１１を取り付けるためのものである。台座１３は、支柱１２を支えるためのものである。
【００１４】
また、書画カメラ１のデジタルカメラ１１は、図２に示すように、光学レンズ装置１０１と、イメージセンサ１０２と、を備える。
光学レンズ装置１０１は、画像の光を集光するためのレンズなどで構成されたものである。
【００１５】
イメージセンサ１０２は、光学レンズ装置１０１が光を集光することによって結像した画像を、デジタル化した画像データとして取り込むためのものであり、ＣＣＤ等によって構成される。
【００１６】
書画カメラ１とコンピュータ２とは、ＵＳＢ等のケーブル１４を介して接続され、書画カメラ１は、デジタルカメラ１１が撮影した原稿４の画像データを、ケーブル１２を介してコンピュータ２に出力する。
【００１７】
コンピュータ２は、書画カメラ１から送られた画像データに対して、画像処理を行うものである。コンピュータ２は、デジタルカメラ１１の撮影面に対して、原稿４が斜めであったり回転したりした状態であっても、画像処理を行うことによって、正面から撮影した原稿４の画像データを生成する。
【００１８】
コンピュータ２は、図２に示すように、メモリ１０３と、表示装置１０４と、画像処理装置１０５と、キー操作部１０６と、プログラムコード記憶装置１０７と、ＣＰＵ１０８と、から構成される。
【００１９】
メモリ１０３は、イメージセンサ１０２からの画像、表示装置１０５に送り出すための画像などを一時記憶するためのものである。尚、メモリ１０３は、ＣＰＵ１０８の作業メモリとしても用いられる。
【００２０】
表示装置１０４は、プロジェクタ３に画像を送り出すためのものである。
画像処理装置１０５は、メモリ１０３に一時記憶された画像データに対して、画像の歪み補正や画像効果などの画像処理をおこなうためのものである。
【００２１】
キー操作部１０６は、書画投影の機能を制御するためのスイッチ、キーを備えたものである。キー操作部１０６は、ユーザがスイッチ、キーを操作した操作情報をＣＰＵ１０８に出力する。
【００２２】
プログラムコード記憶装置１０７は、ＣＰＵ１０８が実行するプログラムを記憶するためのものであり、ＲＯＭ等によって構成される。
ＣＰＵ１０８は、プログラムコード記憶装置１０７に格納されているプログラムに従って、前述した各部を制御する。
また、ＣＰＵ１０８は、後述するフローチャートに従って、撮影対象物である原稿４の画像に動きがあるか否かを判定し、判定結果に従って、投影モードを切り替える。
【００２３】
投影モードは、動画モードと静止画モードの２つとする。動画モードは、ユーザが台座１３に投影したい原稿４等を載置しようとする場合に設定されるモードであって、デジタルカメラ１１で映し出している画像をそのままプロジェクタ３に投影するモードである。
【００２４】
動画モードでは、ＣＰＵ１０８は、例えば、画像解像度がＶＧＡ（６００×４８０ドット）程度の画像を３０ｆｐｓ（フレーム/秒）の速さで動画投影を行なうように、各部を制御するものとする。このように、動画モードは、解像度は低いものの、リアルタイム性を重視したモードである。
【００２５】
静止画モードは、ユーザが原稿を置いた後に設定されるモードであって、デジタルカメラ１１で高解像度の画像撮影を行い、高解像度の静止画像の投影を行うモードである。デジタルカメラ１１が撮影解像度３００万画素のカメラである場合、切り出した投影画像はＸＧＡ（１０２４×７６８）の静止画像になる。
【００２６】
ＣＰＵ１０８は、投影モードの切り替えを行うため、原稿４の画像に動きがあるか否かを判定する。ＣＰＵ１０８は、このような判定を行うため、前回撮影した画像との変化量ＭＤを求める。変化量（ＭＤ）は撮影している画像が前回の画像と比較してどれぐらい変化したかを表す量である。この量を計算する方法はいくつか考えられる。一例として、ＣＰＵ１０８は、前回撮影した画像のデータから、各画素の差分の絶対値の総和を変化量ＭＤとして求める。
【００２７】
即ち、前回の画素データをPn-1(x,y)、今回の画素データをPn(x,y) 1≦x≦640 1≦x≦480とすると、変化量ＭＤは、次の数１によって表される。
【数１】
2008125128.tif 000003
但し、全画素の総和を求めるには、計算量がおおいので、変化量ＭＤを求める方法としては、いくつかの画素を抜き出して実現する方法もある。
【００２８】
また、この変化量ＭＤと比較して動きの有無を判定するための閾値として、閾値Thresh1と閾値Thresh2とが予め設定される。閾値Thresh1は、動きがないか否かを判定するための閾値であり、ＣＰＵ１０８は、変化量ＭＤが閾値Thresh1未満であれば、動きがないと判定する。
【００２９】
閾値Thresh2は、静止画モードにおいて、例えば、影が動いた場合、ペン等を置いた場合のように、動きはあっても、その動きが動画モードに切り替える必要のない程度の僅かな動きであるか否かを判定するための閾値である。
【００３０】
ＣＰＵ１０８は、変化量ＭＤが閾値Thresh2未満であれば、動画モードに切り替える必要のない程度の僅かな動きであると判定する。尚、閾値Thresh2は、閾値Thresh1よりも高く設定される（Thresh1＜Thresh2）。メモリ１０３は、この閾値Thresh1と閾値Thresh2とを予め記憶する。
【００３１】
また、ＣＰＵ１０８は、動画モードから静止画モードに切り替える場合、画像に動きがないと判定し、所定の時間が経過してから、投影モードを静止画モードに切り替える。このため、ＣＰＵ１０８は、画像に動きがないと判定してから、静止時間Ptimeを計測し、メモリ１０３は、この静止時間Ptimeと比較するために予め設定された所定時間HoldTimeを記憶する。
【００３２】
プロジェクタ３は、スクリーン５に投影光を照射して原稿４の画像を結像させるものである。コンピュータ２とプロジェクタ３とは、ＲＢＧ等のケーブルを介して接続される。
【００３３】
次に、本実施形態に係る撮影画像投影装置の動作を説明する。
ユーザが撮影画像投影装置の電源をＯＮすると、コンピュータ２のＣＰＵ１０８は、プログラムコード記憶装置１０７からプログラムコードを読み出して基本投影処理を実行する。
【００３４】
この動作を図３に示すフローチャートに従って説明する。
まず、ＣＰＵ１０８は、書画カメラ１のデジタルカメラ１１の焦点、露出、ホワイトバランスなどのカメラ設定パラメータの初期化をおこなう（Ｓ１０）。
【００３５】
ＣＰＵ１０８は、投影モードを動画投影モードに初期化する（ステップＳ１１）。ＣＰＵ１０８は、投影モードを動画モードに初期化するため、メモリ１０３上の指定した領域に動画モード(Motion)をセットする。さらに、ＣＰＵ１０８は、デジタルカメラ１１のイメージセンサ１０２から読み出された画像データを、ＶＧＡによる画像データになるように設定する。
【００３６】
これによりに、デジタルカメラ１１が捉えているシーンが、光学レンズ装置１０１を経由してイメージセンサ１０２に集光され、イメージセンサ１０２は集光された画像から動画撮影用の解像度の低いデジタル画像を作成する。そして、イメージセンサ１０２は、作成したデジタル画像を定期的に、例えば、秒１０枚で、メモリ１０３に送り出す。
【００３７】
次に、ＣＰＵ１０８は、静止時間Ptimeのリセットをおこなう（Ｓ１２）。
次に、ＣＰＵ１０８は、イメージセンサ１０２から低解像度の画像データをメモリ１０３に転送するように、イメージセンサ１０２とメモリ１０３とを制御する（Ｓ１３）。尚、ここでは、イメージセンサ１０２の画像データがメモリ１０３に転送されるだけで、表示装置１０４は、画像を表示しない。表示装置１０４が画像を表示しないのは、表示装置１０４の表示を行なう画像データがメモリ１０３上の異なるアドレスで示される領域に記憶されているからである。
【００３８】
次に、ＣＰＵ１０８は、前回撮影した画像との変化量（ＭＤ）を、数１に従って求める（ステップＳ１４）。
【００３９】
ＣＰＵ１０８は、投影モードが動画投影モードか静止画投影モードかを判定する（ステップＳ１５）。
初期状態では投影モードに動画投影モードが設定されている。ＣＰＵ１０８は、このため、初期状態では、動画モードと判定し、撮影した動画を投影するために、メモリ１０３内にある動画の画像データをメモリ１０３の所定領域にコピーする（ステップＳ１６）。これにより、表示装置１０４は、撮影された画像データをメモリ１０３から読み出し、ＲＧＢ信号をプロジェクタ３に出力する。プロジェクタ３は、この信号に基づいて、画像を投影する。
【００４０】
ＣＰＵ１０８は、予め設定された前述の閾値Thresh1とＳ１４において求めた画像変化量ＭＤとを比較し、比較結果に基づいて画像に動きがあるか否かを判定する（ステップＳ１７）。
【００４１】
このとき、ユーザが、まだ、用紙を置くなどの動作を続けている場合、画像変化量ＭＤは閾値Thresh1以上になる。この場合、ＣＰＵ１０８は、画像に動きがあると判定し（ステップＳ１７においてＹｅｓ）、静止時間Ptimeをリセットして低解像度の画像データを読み込みを行い、画像変化量ＭＤを求め、画像のメモリ１０３の投影画像領域への書き込みを行う（ステップＳ１２〜Ｓ１６）。これによりユーザが動作を行なっている間、撮影画像投影装置は、動画モードの状態を維持し続け、低解像度の動画画像がスクリーン５に投影される。
【００４２】
その後、ユーザが用紙のセットを終えて画像に動きがなくなると、画像変化量ＭＤは閾値未満になる。この場合、ＣＰＵ１０８は、画像に動きがないと判定し（ステップＳ１７においてＮｏ）、静止時間Ptimeに１を加算する（ステップＳ１８）。
【００４３】
そして、ＣＰＵ１０８は、静止時間Ptimeが所定時間HoldTimeに達したか否かを判定する（ステップＳ１９）。
【００４４】
静止時間Ptimeが所定時間HoldTimeに達していないと判定した場合（ステップＳ１９においてＮｏ）、ＣＰＵ１０８は、画像に動きがないと判定するまで、再び低解像度の画像データを読み込んで、画像変化量ＭＤを求め、動きがなければ、静止時間Ptimeに１を加算する（ステップＳ１３〜Ｓ１８）。この場合、静止時間Ptimeがリセットされないため、静止時間Ptimeは、ＣＰＵ１０８によって、動画を読み込むごとにカウントアップされる。
【００４５】
静止時間Ptimeが所定時間HoldTimeに達したと判定した場合（ステップＳ１９においてＹｅｓ）、ＣＰＵ１０８は、ユーザが画像を静止させたと判定し、投影モードを静止画モードに設定する（ステップＳ２０）。
【００４６】
ＣＰＵ１０８は、高解像度の静止画像を撮影するようにイメージセンサ１０２を制御する（ステップＳ２１）。そして、ＣＰＵ１０８は、イメージセンサ１０２が取得した画像データをメモリ１０３に書き込む。尚、ＣＰＵ１０８は、画像データをメモリ１０３に書き込んだ後、デジタルカメラ１１の解像度を再び低解像度の読み込み状態に戻す。
【００４７】
ＣＰＵ１０８は、画像処理装置１０５を制御し、画像処理装置１０５は、読み込まれた高解像度の静止画像に対して、斜め補正のための射影パラメータの抽出をおこなう（ステップＳ２２）。
【００４８】
画像処理装置１０５は、さらにその抽出された射影パラメータに従って、撮影対象の切抜きと、正面画像への補正画像作成である射影補正をおこなう（ステップＳ２３）。
画像処理装置１０５は、作成された補正画像から、コントラスト補正などの鮮明、識別しやすい画像へ変換を行なうための画像効果処理のパラメータ抽出をおこなう（ステップＳ２４）。
画像処理装置１０５は、抽出された画像効果パラメータを用いて、補正画像の画像効果処理をおこなう（ステップＳ２５）。
【００４９】
ＣＰＵ１０８は、効果処理をおこなった補正画像データの投影をおこなうために、動画画像のときと同じように、メモリ１０３内の所定領域に補正画像データの書き込みを行う。そして、ＣＰＵ１０８は、表示装置１０４から、画像データをＲＧＢ信号でプロジェクタ３に出力する（ステップＳ２６）。
【００５０】
一度静止画モードになると、ＣＰＵ１０８は、再び静止時間Ptimeをリセットして、低解像度の画像を読み込み、画像変化量ＭＤを求める（ステップＳ１２〜Ｓ１４）。
【００５１】
ここで、投影モードが静止画投影モードと判定した場合（ステップＳ１５）、ＣＰＵ１０８は、求めた画像変化量ＭＤともう一つの所定閾値Thresh2（Thresh1＜Thresh2）との比較を行い、画像に動きがあるか否かを判定する（ステップＳ３０）。
【００５２】
ＣＰＵ１０８は、画像変化量が閾値Thresh2以上であれば、画像に動きがないと判定する（ステップＳ３０においてＮｏ）。この場合、ＣＰＵ１０８は、引き続き、画像変化量と閾値Thresh1との比較を行い（ステップＳ３１）、画像に動きがあるか否かを判定する（ステップＳ３１）。
【００５３】
そして、画像変化量ＭＤが閾値Thresh1以上であれば、ＣＰＵ１０８は、画像に動きがあると判定し（ステップＳ３０においてＹｅｓ）、投影モードを動画モードに設定する（ステップＳ４０）。そして、ＣＰＵ１０８は、静止時間Ptimeをリセットする（ステップＳ１２）。
【００５４】
一方、画像変化量ＭＤが閾値Thresh2未満であっても、閾値Thresh1以上であれば、ＣＰＵ１０８は、画像に動きがあると判定する（ステップＳ３１においてＹｅｓ）。この場合、ＣＰＵ１０８は、画像変化量ＭＤが閾値Thresh1と閾値Thresh2との間であるため、投影モードを動画モードに切り替えずに、再度、高解像度で静止画像を撮影し、画像処理装置１０５は、取得した高解像度の静止画像データの画像処理を行う（ステップＳ２１〜Ｓ２６）。
【００５５】
また、画像変化量ＭＤが閾値Thresh2未満であり、かつ、閾値Thresh1未満であれば、ＣＰＵ１０８は、静止状態が継続しているものと判定する（ステップＳ３１においてＮｏ）。この場合、ＣＰＵ１０８は、キー操作部１０６から出力された操作情報に基づいて画像調整キーが操作されたか否かを判定する（ステップＳ３２）。
【００５６】
画像調整キーが操作されていないと判定した場合（ステップＳ３２においてＮｏ）、ＣＰＵ１０８は、ステップＳ１２に戻り、静止時間Ptimeをリセットする。
【００５７】
画像調整キーが操作されたと判定した場合（ステップＳ３２においてＹｅｓ）、ＣＰＵ１０８は、画像の拡大や回転などの画像変換の調整を行う（ステップＳ３３）。
【００５８】
ＣＰＵ１０８は、画像変換が射影補正、回転補正等なのか、画像の拡大縮小、移動なのかを判定する（ステップＳ３４）。
【００５９】
画像変換が射影補正、回転補正等であると判定した場合、ＣＰＵ１０８は、以前の画像で抽出された画像効果パラメータを用いて画像効果処理を行って（ステップＳ２４）、補正画像の効果処理を行う（ステップＳ２５）。他方、画像変換が画像の拡大縮小、移動であると判定した場合、ＣＰＵ１０８は、以前の画像で抽出された画像効果パラメータを用いずに、画像効果処理を行う（ステップＳ２５）。
【００６０】
このようにして、ＣＰＵ１０８は、動画投影モードと静止画投影モードとの切り替えを行いながら投影制御を行う。これにより、ユーザが操作を行なっている間は、フレーム周波数優先の画像の投影が行われ、画像が静止すれば、撮影対象の原稿４の切り抜き及び画像効果をおこなって高解像度画像の投影が行われる。
【００６１】
以上説明したように、本実施形態によれば、解像度、フレーム周波数、画像処理の異なる画像を切り替えて投影するようにした。従って、スクリーンに原稿の画像を投影するときは、高品位の画像で原稿投影することができ、原稿を差し替えるときは、フレーム周波数を優先した画像を投影し、処理時間を短縮することができる。
【００６２】
また、複数の画像の切り替えを、撮影対象の動きを検出することによって自動的におこなうので、ユーザに画像投影モードの切り替える煩わしさを回避することができる。また、原稿投影をおこなう場合、原稿を差し替える間はフレーム周波数の高い表示になるので、投影画像を視認しながら差し替える操作をスムーズに行うことができ、原稿をおいた後は自動的に高品位の画像に切り替わるので視認性にも優れている。
【００６３】
また、対象の動きを低解像度画像の一部の差分画像を用いるので、撮影画像投影装置を簡単な構造にて実現が可能である。
【００６４】
また、一度静止画投影モードに設定されると、その撮影対象の動きの有無を２つの閾値に基づいて判定するので、例えば、影やペンなどを置く動きが僅かである場合には、動画投影モードを経由することなく、再度、画像を高解像度で撮影し直すので、スムーズな投影が可能となる。
【００６５】
尚、本発明を実施するにあたっては、種々の形態が考えられ、上記実施形態に限られるものではない。
例えば、処理時間を要しない程度の画像処理を行うことは可能である。即ち、図３のステップＳ１６において、画像処理装置１０５は、カラー調整だけを行う。この処理内容を図４のフローチャートに示す。
【００６６】
画像処理装置１０５は、処理対象の動画画像から、色相(U,V)の平均値を求める（ステップＳ８０１）。
画像処理装置１０５は、この平均値を用い、背景色に従って輝度ヒストグラムを調整してカラー調整を行う（ステップＳ８０２）。
【００６７】
画像処理装置１０５は、この画像効果を施した画像を、メモリ１０３に書き込む（ステップＳ８０３）。このように低解像度の画像を投影する場合においても、処理時間を要さなければ、簡単な画像処理や画像効果を施すことは可能である。
【００６８】
また、上記実施形態では、画像変化量ＭＤと比較するための閾値を２つとした。しかし、閾値は３つ以上であっても良く、画像の動きの量に従って、画像に対して異なる画像処理を行うようにしても良い。
【００６９】
また、上述の処理を実行させるためのプログラムを、フレキシブルディスク、ＣＤ−ＲＯＭ（Compact Disk Read-Only Memory）、ＤＶＤ（Digital Versatile Disk）などのコンピュータ読み取り可能な記録媒体に格納して配布し、これをコンピュータにインストールし、上述の手段として動作させ、あるいは、上述の工程を実行させてもよい。
インターネット上のサーバ装置が有するディスク装置等にプログラムを格納しておき、例えば、搬送波に重畳させて、コンピュータにダウンロード等するものとしてもよい。
【図面の簡単な説明】
【００７０】
【図１】本発明の実施形態に係る撮影画像投影装置の全体構成を示す構成図である。
【図２】図１に示す書画カメラとコンピュータとの構成を示すブロック図である。
【図３】図１に示す撮影画像投影装置が実行する基本投影処理の内容を示すフローチャートである。
【図４】図１に示す撮影画像投影装置の応用例を示すフローチャートである。
【符号の説明】
【００７１】
１・・・書画カメラ、２・・・コンピュータ、３・・・プロジェクタ、５・・・スクリーン、１０８・・・ＣＰＵ
【図２】
2008125128.tif 000004
【図３】
2008125128.tif 000005
【図４】
2008125128.tif 000006
【図１】
2008125128.tif 000007
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
撮影した被写体の画像をスクリーンに投影する撮影画像投影装置において、
前記被写体を撮影し、撮影した前記被写体の画像データを出力するカメラと、
前記カメラが出力した画像データに対して画像処理を行う画像処理部と、
前記画像処理部が画像処理した画像データに基づいた画像を投影する投影部と、
前記カメラによって撮影された画像に動きがあるか否かを判定する動き判定手段と、
前記動き判別手段が画像に動きがあると判定すると、前記カメラによって解像度が低い画像を連続的に撮影し前記投影部で投影するように前記カメラと前記画像処理部と前記投影部とを制御し、前記動き判別手段が画像に動きがないと判定すると、前記カメラによって解像度が高い画像を一時的に撮影し前記投影部で投影するように前記カメラと前記画像処理部と前記投影部とを制御するとともに、再び前記カメラによって低い画像を連続的に撮影させて前記動き判別手段が画像に動きがあると判定するまで該解像度が高い画像を前記投影部に投影させ続けるように制御する制御部と、を備えた、
ことを特徴とする撮影画像投影装置。
【請求項２】
前記制御部は、
前記カメラによって撮影される画像のフレーム周波数の高低を予め設定し、前記動き判別手段が画像に動きがあると判定すると、前記カメラによって撮影される画像のフレーム周波数が高くなるように、前記カメラと前記画像処理部と前記投影部とを制御し、前記動き判別手段が画像に動きがないと判定すると、前記カメラによって撮影される画像のフレーム周波数を低い方に設定して画像データのデータ量をより多くして解像度がより高くなるように前記カメラと前記画像処理部と前記投影部とを制御する、
ことを特徴とする請求項１に記載の撮影画像投影装置。
【請求項３】
前記判定手段は、前記カメラによって撮影された画像に動きがあるか否かの判定を、予め設定されたフレーム周波数のうちの高い方の画像であって当該フレーム周波数に対応する解像度を有する画像に基づいて行う、
ことを特徴とする請求項２に記載の撮影画像投影装置。
【請求項４】
前記判定手段は、
前記カメラで撮影された画像の画像変化量を求め、前記画像変化量が予め設定された閾値未満であれば、前記カメラで撮影された画像に動きがないと判定し、前記画像変化量が予め設定された閾値以上であれば、前記画像に動きがあると判定する、
ことを特徴とする請求項２又は３に記載の撮影画像投影装置。
【請求項５】
前記判定手段は、前記カメラで撮影された画像のデータの前回値を記憶し、記憶した画像データの前回値と新たに撮影された画像のデータの今回値との差分の総和を求めることにより、画像変化量を求める、
ことを特徴とする請求項４に記載の撮影画像投影装置。
【手続補正３】
【補正対象書類名】明細書
【補正対象項目名】０００１
【補正方法】変更
【補正の内容】
【０００１】
本発明は、撮影画像投影装置に関するものである。
【手続補正４】
【補正対象書類名】明細書
【補正対象項目名】０００３
【補正方法】変更
【補正の内容】
【０００３】
しかし、従来のこのような撮影画像投影装置では、原稿の画像をスクリーンに投影するまでの処理に時間を要するため、画像のフレーム周波数が低くなってしまう。
本発明は、このような従来の問題点に鑑みてなされたもので、撮影により取得した画像を投影するまでの処理時間を短縮することが可能な撮影画像投影装置を提供することを目的とする。
【手続補正５】
【補正対象書類名】明細書
【補正対象項目名】０００４
【補正方法】変更
【補正の内容】
【０００４】
この目的を達成するため、本発明の第１の観点に係る撮影画像投影装置は、
撮影した被写体の画像をスクリーンに投影する撮影画像投影装置において、
前記被写体を撮影し、撮影した前記被写体の画像データを出力するカメラと、
前記カメラが出力した画像データに対して画像処理を行う画像処理部と、
前記画像処理部が画像処理した画像データに基づいた画像を投影する投影部と、
前記カメラによって撮影された画像に動きがあるか否かを判定する動き判定手段と、
前記動き判別手段が画像に動きがあると判定すると、前記カメラによって解像度が低い画像を連続的に撮影し前記投影部で投影するように前記カメラと前記画像処理部と前記投影部とを制御し、前記動き判別手段が画像に動きがないと判定すると、前記カメラによって解像度が高い画像を一時的に撮影し前記投影部で投影するように前記カメラと前記画像処理部と前記投影部とを制御するとともに、再び前記カメラによって低い画像を連続的に撮影させて前記動き判別手段が画像に動きがあると判定するまで該解像度が高い画像を前記投影部に投影させ続けるように制御する制御部と、を備えたものである。
【手続補正６】
【補正対象書類名】明細書
【補正対象項目名】０００５
【補正方法】変更
【補正の内容】
【０００５】
前記制御部は、
前記カメラによって撮影される画像のフレーム周波数の高低を予め設定し、前記動き判別手段が画像に動きがあると判定すると、前記カメラによって撮影される画像のフレーム周波数が高くなるように、前記カメラと前記画像処理部と前記投影部とを制御し、前記動き判別手段が画像に動きがないと判定すると、前記カメラによって撮影される画像のフレーム周波数を低い方に設定し、画像データのデータ量をより多くして解像度がより高くなるように前記カメラと前記画像処理部と前記投影部とを制御するものであってもよい。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】